(57)【要約】【課題】ユーザが日常的に使用する状態でネットワークを介したメンテナンスを可能とするためのメンテナンス装置を提供すること。【解決手段】メンテナンス装置７３に、宅内ネットワークに設定された固有の通信方式に設定変更する通信制御方式設定処理部１１を具備し、ユーザが日常的に使用するいつもの動作状態でネットワーク上の家電機器をメンテナンスできる構成となり、固有の通信方式による通信を行うメンテナンス用通信制御処理部８１と、実際のメンテナンス処理を実行するメンテナンス処理部８２を、それぞれ別の装置として構成することで、セキュリティを含む固有の通信方式ををメンテナンス業者などの第３者に渡さなくてもよい構成となる。【選択図】図１
2006157116.tif 000002
【特許請求の範囲】
【請求項１】
宅内ネットワークとの通信を制御する通信制御処理部と、セキュリティを含む固有の通信方式を有する前記宅内ネットワークの通信方式を前記通信制御処理部に設定および変更する通信制御方式設定処理部と、前記通信制御処理部を介して前記宅内ネットワークに接続された家電機器のメンテナンス処理を実行するためのメンテナンス処理制御部と、前記メンテナンス処理制御部が前記宅内ネットワークに接続された家電機器からメンテナンス対象機器を特定するための情報を処理する対象機器特定処理部を具備することを特徴とするメンテナンス装置。
【請求項２】
固有の通信方式を有する宅内ネットワークに接続し、前記固有の通信方式によって前記宅内ネットワークに接続された家電機器とメンテナンスの通信を行う通信制御処理部と、前記通信制御処理部によって通信したメンテナンス処理を実行するメンテナンス処理制御部を、それぞれ別の装置として構成することを特徴とし、前記通信制御処理部を具備するメンテナンス用通信制御処理装置と、前記メンテナンス処理制御部を具備するメンテナンス本体装置で構成することを特徴とする請求項１記載のメンテナンス装置。
【請求項３】
請求項２において、宅内ネットワークに接続された家電機器とメンテナンスの通信を行う通信制御処理部を具備するメンテナンス用通信制御処理装置は、前記通信制御処理部にセキュリティを含む固有の通信方式の設定および変更を行う通信制御方式設定処理部を具備することを特徴とする請求項２記載のメンテナンス装置。
【請求項４】
請求項２において、前記通信制御処理部を具備するメンテナンス用通信制御処理装置は、前記通信制御処理部を介して前記宅内ネットワークに接続された複数の家電機器のうちメンテナンス対象となる家電機器を特定する情報を設定する対象機器設定処理部と、前記対象機器設定処理部で設定された対象機器情報を用いて前記通信制御処理部の宛先情報を制御する対象機器情報制御部を具備することを特徴とする請求項２記載のメンテナンス装置。
【請求項５】
請求項１〜４のいずれか１項記載のメンテナンス装置の機能の少なくとも一部をコンピュータに実行させるためのプログラム。
【発明の詳細な説明】
【技術分野】
【０００１】
本発明は、宅内ネットワークに接続された家電機器を、宅内ネットワークを介してメンテナンスを行うメンテナンス装置およびそのプログラムに関するものである。
【背景技術】
【０００２】
近年、家電機器をネットワークに接続する技術が開発されている。ネットワークに接続された家電機器は、宅内および宅外より操作することができる。宅内には、複数台の家電機器が存在し、宅内に存在する複数台の家電機器は同一の宅内ネットワークに接続され、管理される状況が一般的である。
【０００３】
このようなシステムにおいては、宅内ネットワークを介して家電機器のメンテナンスを実行することができる。また、最近、情報セキュリティの観点から、宅内ネットワークにおいても、通信時に簡単には部外者が知りえないユーザ固有の情報を電文に付加したり、電文の暗号化を行うなどのセキュリティ対策がとられ始めている。
【０００４】
セキュリティ対策された宅内ネットワークにおいて、宅内ネットワークを介してメンテナンスを行うために、家電機器で予め定められたメンテナンス用の通信方式に保持しておき、メンテナンス時にはその通信方式に設定変更し、メンテナンスを実行する方法がとられている。家電機器に予め定められたメンテナンス用の通信方式は、メンテナンス業者などで予め設定された通信方式であり、個々のユーザ固有の情報に依存するものではない（たとえば特許文献１参照）。
【０００５】
図７〜図９は、本発明の適用される通信システム及び従来の一般的なメンテナンス装置の構成、及びメンテナンス開始までの処理シーケンスを示すものである。図７は、従来及び本発明が適用される通信システムの一構成例を、図８は、従来のメンテナンス装置の一構成例を、図９は、従来のメンテナンス装置によるメンテナンス開始までの処理シーケンスの一例を示す。図７〜９を用いて、従来及び本発明の適用されるシステム及び従来の技術について説明する。
【０００６】
従来及び本発明の適用される宅内のネットワーク７１には、家電機器Ａ７２ａ、家電機器Ｂ７２ｂ、家電機器Ｃ７２ｃの複数台の家電機器が接続されている。家電機器Ａ７２ａのメンテナンスを実行する際には、メンテナンス装置７３を家電機器Ａ７２ａと同一のネットワーク７１に接続する構成となる。
【０００７】
メンテナンス装置７３ａは、通信制御処理部（図８の８１）を具備し、宅内のネットワーク７１に接続する構成である。セキュリティ設定された宅内のネットワーク７１にメンテナンス装置７３ａを接続し、メンテナンスを実行するためには、家電機器Ａ７２ａをメンテナンス用として設定された通信方式と同様の通信方式を用いて動作させていた。
【０００８】
さらに、宅内のネットワーク７１上には複数台の家電機器が存在するため、メンテナンス装置７３ａは、メンテナンス対象となる家電機器を特定する必要があり、対象機器特定処理部８３でメンテナンス対象となる家電機器を特定するための情報（宛先情報）を設定する形がとられていた。
【０００９】
以上のような構成において、メンテナンス装置７３ａは、対象機器特定処理部８３にメンテナンス対象となる家電機器（例えば、家電機器A７２ａ）を特定するための情報（宛先情報）を設定（図９のＳ９１）する。メンテナンス対象となる家電機器（例えば、家電機器Ａ７２ａ）は、動作状態をユーザが日常的に使用する動作状態から予め定められたメンテナンス用の通信方式に通信方式を変更する（Ｓ９２）。
【００１０】
メンテナンス装置７３ａは、メンテナンス対象となる家電機器（例えば、家電機器Ａ７２ａ）と予め定められたメンテナンス用の通信方式で通信を確立し（S９３）、メンテナンス処理制御処理部８２ａでメンテナンス用通信方式で定められたメンテナンス処理を開始する（Ｓ９４）。メンテナンス装置７３ａは、メンテナンス用通信方式で定められたメンテナンス情報（S９６）に、対象機器特定処理部８３で設定されたメンテナンス対象の家電機器を特定するための情報（宛先情報）（S９５）を付加し、ネットワーク７１を介してメンテナンス対象の家電機器（例えば、家電機器Ａ７２ａ）へ送信する。
【００１１】
前記したメンテナンス対象の家電機器の特定方法として、例えば、メンテナンス対象の家電機器が保持する家電機器固有の情報（アドレスなど）をメンテナンス用として予め設定されたアドレスに設定変更し、メンテナンス装置は、メンテナンス情報をメンテナンス用のアドレス宛に送信することで、メンテナンス対象の家電機器にメンテナンス情報を送信する方法がある。また、前記したメンテナンス対象の家電機器の特定方法として、家電機器固有の情報（アドレスなど）をメンテナンス装置に設定する方法がある。
【特許文献１】特開２００３−２４１８２７号公報
【発明の開示】
【発明が解決しようとする課題】
【００１２】
このような従来の構成では、家電機器に予め定められたメンテナンス用の通信方式は、メンテナンス業者などで予め設定された通信方式であり、メンテナンス用に特別の動きをするものとなり、家電機器の動作のメンテナンスを特定の条件下でしか行うことができない。したがって、メンテナンス対象となる家電機器をユーザが日常的に使用する動作状態で確認することができず、実際の動作状態でのメンテナンスにはならないという課題を有している。
【００１３】
本発明は、上記課題を解決するためになされたもので、セキュリティ対策されたネットワークに接続された家電機器であってもユーザが日常的に使用する動作状態でメンテナンス可能とするためのメンテナンス装置を提供することを目的としている。
【課題を解決するための手段】
【００１４】
前記従来の課題を解決するために本発明は、メンテナンス装置を、宅内ネットワークに接続するための通信制御処理部と、メンテナンス処理を実行するためのメンテナンス処理制御処理部と、前記通信制御処理部にセキュリティを含む固有の通信方式の設定変更を行う通信制御方式処理部を具備する構成とする。
【００１５】
メンテナンス装置の通信制御方式処理部に、セキュリティを含む固有の通信方式として宅内個別情報（セキュリティ情報等）を設定することにより、メンテナンス対象の家電機器で予めメンテナンス用の通信方式を持たせることなく、メンテナンス対象となる家電機器の動作状態をユーザが日常的に使用する宅内個別情報（セキュリティ情報等）が設定された状態でメンテナンスすることが可能となり、メンテナンス対象の家電機器の動作確認を実際の動作状態にて行うことが可能となる。
【発明の効果】
【００１６】
本発明のメンテナンス装置およびそのプログラムは、セキュリティ対策されたネットワークに接続された家電機器であってもユーザが日常的に使用する動作状態でメンテナンス可能とし、宅内のネットワークとの通信を制御する通信制御処理部と、実際のメンテナンス処理を実行するメンテナンス処理制御部とをそれぞれ別の装置として構成することで、セキュリティに対するユーザの安心感を増大させ、また、メンテナンス処理制御部側の構成を軽くし、メンテナンス処理の性能の向上にも繋がる。
【発明を実施するための最良の形態】
【００１７】
第１の発明は、メンテナンス装置を、宅内ネットワークとの通信を制御する通信制御処理部と、セキュリティを含む固有の通信方式を有する前記宅内ネットワークの通信方式を前記通信制御処理部に設定および変更する通信制御方式設定処理部と、前記通信制御処理部を介して前記宅内ネットワークに接続された家電機器のメンテナンス処理を実行するためのメンテナンス処理制御部と、前記メンテナンス処理制御部が前記宅内ネットワークに接続された家電機器からメンテナンス対象機器を特定するための情報を処理する対象機器特定処理部を具備する構成を有する。
【００１８】
これにより、メンテナンス装置でセキュリティを含む固有の通信方式の設定変更を行うことができ、メンテナンス対象の家電機器で予めメンテナンス用の通信方式を持たせることなく、メンテナンス対象となる家電機器の動作状態をユーザが日常的に使用する宅内個別情報（セキュリティ情報等）が設定された状態でメンテナンスを可能とし、メンテナンス対象の家電機器の動作確認を実際の動作状態にて行うことができる。
【００１９】
第２の発明は、メンテナンス装置を、固有の通信方式を有する宅内ネットワークに接続し、前記固有の通信方式によって前記宅内ネットワークに接続された家電機器とメンテナンスの通信を行う通信制御処理部と、前記通信制御処理部によって通信したメンテナンス処理を実行するメンテナンス処理制御部を、それぞれ別の装置として構成し、前記通信制御処理部を具備するメンテナンス用通信制御処理装置と、前記メンテナンス処理制御部を具備するメンテナンス本体装置を有する構成とする。
【００２０】
これにより、メンテナンス処理を実行させるメンテナンス本体装置に家電機器との通信を制御するための処理部を具備しない構成が可能となり、メンテナンス本体装置の構成を軽くすることができる。
【００２１】
第３の発明は、第２の発明に加え、メンテナンス用通信制御処理装置は、前記通信制御処理部にセキュリティを含む固有の通信方式の設定および変更を行う通信制御方式設定処理部を具備することにより、ユーザは、宅内ネットワークに接続するための宅内個別情報（セキュリティ情報等）をメンテナンス業者などの第３者に渡さなくてもよい構成となり、安心感の増大につながる。
【００２２】
第４の発明は、第２の発明に加え、メンテナンス用通信制御処理装置を、前記通信制御処理部を介して前記宅内ネットワークに接続された複数の家電機器のうちメンテナンス対象となる家電機器を特定する情報を設定する対象機器設定処理部と、前記対象機器設定処理部で設定された対象機器情報を用いて前記通信制御処理部の宛先情報を制御する対象機器情報制御部を具備する構成を有する。
【００２３】
これにより、メンテナンス本体装置は、メンテナンス実行の際に、メンテナンス対象の家電機器を特定し、宛先情報を制御する必要がなくなり、メンテナンス本体装置の構成をさらに軽くすることができる。さらに、メンテナンス用通信制御処理装置は、メンテナンスの際にメンテナンス本体装置の処理負荷を軽減することができ、メンテナンス本体装置のメンテナンス処理の性能向上にも繋がる。
【００２４】
第５の発明は、第１〜４の発明のいずれか記載のメンテナンス装置の機能の少なくとも一部をコンピュータに実行させるためのプログラムである。そして、プログラムであるので、電気・情報機器、コンピュータ、サーバー等のハードリソースを協働させて本発明のメンテナンス装置の少なくとも一部を容易に実現することができる。また記録媒体に記録したり通信回線を用いてプログラムを配信したりすることでプログラムの配布・更新やそのインストール作業が簡単にできる。
【００２５】
以下、本発明の実施の形態について、図面を参照しながら説明する。なお、この実施の形態によって本発明が限定されるものではない。
【００２６】
（実施の形態１）
図７は本実施の形態の適用される通信システムを示し、図１は、本発明における第1の実施の形態にかかわるブロック図を示し、図２は、図１における動作の一例を示したシーケンス図を示している。
【００２７】
図７において、本実施の形態の適用される宅内のネットワーク７１には、家電機器Ａ７２ａ、家電機器Ｂ７２ｂ、家電機器Ｃ７２ｃの複数台の家電機器が接続されている。家電機器Ａ７２ａのメンテナンスを実行する際には、メンテナンス装置７３を家電機器Ａ７２ａと同一のネットワーク７１に接続する構成となる。
【００２８】
図１において、宅内のネットワーク７１に接続されたメンテナンス装置７３ｂは、宅内ネットワーク７１に接続するための通信制御処理部８１と、メンテナンス処理を実行するためのメンテナンス処理制御処理部８２ａと、通信制御処理部８１にセキュリティを含む固有の通信方式の設定変更を行う通信制御方式設定処理部１１と、接続されたネットワーク７１上からメンテナンス対象となる家電機器を特定するための情報（アドレスなど）を処理する対象機器特定処理部８３を具備した構成とする。
【００２９】
以上のように構成されたメンテナンス装置において、図２を用いて、その動作を説明する。
【００３０】
メンテナンス業者がメンテナンスを行う場合には、まず、通信制御方法設定処理部１１で対象となる家庭のネットワークの通信に関わる宅内個別情報（セキュリティ情報等）を入力する（S２１）。ここで、セキュリティ情報とは、自宅内ネットワークと他宅内ネットワークを識別するための情報や、自宅内ネットワーク上での通信データを暗号化するための情報などがある。宅内個別情報（セキュリティ情報等）を入力された通信制御方式設定処理部１１は、通信制御処理部８１の通信方法を、前記宅内個別情報（セキュリティ情報等）を用いた通信方式に設定変更する（S２２）。
【００３１】
通信制御処理部８１の通信制御方式変更後、メンテナンス業者は、対象機器特定処理部８３にメンテナンス対象の家電機器（例えば、家電機器Ａ７２ａなど）を特定する情報（宛先情報）を設定し（S２３）、メンテナンス処理制御部８２ａに設定されたメンテナンス処理を開始する（S２４）。
【００３２】
メンテナンス装置７３ｂは、メンテナンス処理制御部８２ａで設定されたメンテナンス情報（S２５）に対象機器特定処理部８３に設定されたメンテナンス対象の家電機器（例えば、家電機器Ａ７２ａ）を特定する情報（宛先情報）（S２６）を加え、ネットワーク７１を介してメンテナンス対象の家電機器（例えば、家電機器A７２a）へ送信する。このとき、家電機器側では、メンテナンスモードに設定するなどの特別の処理を行う必要はない。
【００３３】
これにより、メンテナンス対象の家電機器を予め設定されたメンテナンス用の通信方式に設定変更することなく、いつも動作している状態でメンテナンスを行うことが可能となる。
【００３４】
前記した宅内個別情報の設定方法として、例えば、メンテナンス装置７３ｂに表示領域と入力キーを備えた入力処理部（図示せず）を具備し、ECHONET（登録商標）のような無線通信では、入力処理部から宅内個別情報（セキュリティ情報等）として各家庭を識別するための符号であるハウスコードを設定する。これによって、メンテナンス装置７３ｂは、メンテナンス装置７３ｂに具備された入力処理部からの入力により宅内個別情報（セキュリティ情報等）を設定可能となり、宅内個別情報（セキュリティ情報等）を入力するために他の装置を必要としない構成とすることができる。
【００３５】
また、前記した宅内個別情報（セキュリティ情報等）の設定方法として、メンテナンス装置７３ｂにＵＳＢやＲＳ２３２Cなどのインタフェース（図示せず）を具備し、前記ＵＳＢやＲＳ２３２Cなどのインタフェースに接続された入力装置（パソコンなど）から宅内個別情報（セキュリティ情報等）を設定する。これによって、メンテナンス装置７３ｂは、宅内個別情報（セキュリティ情報等）を入力するための入力処理部をメンテナンス装置７３ｂに具備しない構成とすることが可能となり、メンテナンス装置の構成を軽くすることができる。
【００３６】
また、前記した宅内個別情報（セキュリティ情報等）の設定方法として、宅内ネットワーク７１を介してネットワーク７１上の他の機器から特定のコマンドの送受信により情報を取得する。これによって、メンテナンス装置７３ｂは、宅内個別情報（セキュリティ情報等）を取得するために表示領域や入力キーなどの入力処理部、またはＵＳＢやＲＳ２３２Cなどのインタフェースなどの新たなハード構成なく宅内個別情報（セキュリティ情報）を取得可能となり、メンテナンス装置７３ｂの構成をより軽くすることができ、さらにメンテナンス装置７３をより安価な構成とすることができる。
【００３７】
（実施の形態２）
図３は、本発明における第２の実施の形態にかかわるブロック図を示し、図４は、図３における動作の一例を示したシーケンス図を示している。
【００３８】
図３において、ネットワーク７１に接続されるメンテナンス装置７３ｃは、固有の通信方式を有する宅内ネットワーク７１に接続し、固有の通信方式による通信を行う通信制御処理部８１と、実際のメンテナンス処理を実行するメンテナンス処理制御部８２ａを、それぞれ別の装置として構成する。
【００３９】
固有の通信方式を有する宅内ネットワーク７１に接続するメンテナンス用通信制御処理装置３１ａは、宅内ネットワーク７１に設定された固有の通信方式による通信を行う通信制御処理部８１と、メンテナンス処理制御部８２ａを有するメンテナンス本体装置３２ａと相互に通信可能とする通信処理部３３を具備する構成とする。
【００４０】
実際のメンテナンス処理を実行するメンテナンス処理制御部８２ａを有するメンテナンス本体装置３２ａは、宅内ネットワーク７１に接続された複数の家電機器のうちメンテナンスを行う家電機器（例えば、家電機器A７２ａ）を特定する対象機器特定処理部８３と、メンテナンス用通信制御処理装置３１と相互に通信可能とする通信処理部３４を具備する構成とする。
【００４１】
以上のように構成されたメンテナンス装置において、図４を用いて、その動作を説明する。
【００４２】
図４は、第２の実施の形態におけるシーケンスの一例を示したものである。メンテナンス用通信制御処理装置３１ａは、宅内ネットワーク７１と接続する通信制御処理部８１に宅内個別情報（セキュリティ情報等）を用いた通信制御方式の設定を行う（S４２）。メンテナンス本体装置３２ａは、メンテナンス対象となる家電機器（例えば、家電機器Ａ７２ａ）を特定するための情報を取得し、対象機器の特定を行う（S４１）。メンテナンス用通信制御処理装置３１ａおよびメンテナンス本体装置３２ａは、それぞれ通信制御方式の設定（S４２）および対象機器の特定（S４１）後、メンテナンス用通信制御処理装置３１ａとメンテナンス本体装置３２ａ間の通信確立処理を行う（S４３）。
【００４３】
メンテナンス用通信制御処理装置３１ａとメンテナンス本体装置３２ａは、通信確立処理（Ｓ４３）により通信可能となると、メンテナンス本体装置３２ａは、メンテナンス情報（S４４）に対象機器特定処理部８３に設定されたメンテナンス対象の家電機器（例えば、家電機器Ａ７２ａ）を特定する情報（宛先情報）（S４５）を加え、メンテナンス用通信制御処理装置３１ａへ送信する。
【００４４】
メンテナンス用通信制御処理装置３１ａは、メンテナンス本体装置３２ａから宛先情報（S４５）およびメンテナンス情報（S４４）を受信すると、メンテナンス情報（S４６）に宛先情報（S４７）を付与しネットワーク７１を介してメンテナンス対象の家電機器（例えば、家電機器A７２a）へ送信する。このとき、家電機器側では、メンテナンスモードに設定するなどの特別の処理を行う必要はない。
【００４５】
前記したメンテナンス用通信制御処理装置３１ａの通信処理部３３とメンテナンス本体装置３２ａの通信処理部３４との通信方法として、例えば、USBケーブルやRS２３２Cケーブルなどで接続し、コマンドによりデータの送受信を行う方法がある。
【００４６】
また、前記したメンテナンス用通信制御処理装置３１ａへ宅内個別情報（セキュリティ情報等）を用いた通信制御方式の設定方法として、例えば、メンテナンス用通信制御処理装置３１ａを表示領域と入力キーを備えた入力処理部（図示せず）を具備した構成とし、ECHONET（登録商標）のような無線通信では、宅内個別情報（セキュリティ情報等）としてハウスコードを設定する方法がある。これによって、メンテナンス用通信制御処理装置３１ａは、メンテナンス用通信制御処理装置３１ａに具備された入力処理部からの入力により宅内個別情報（セキュリティ情報等）を設定可能となり、宅内個別情報（セキュリティ情報等）を入力するために他の装置を必要としない構成とすることができる。
【００４７】
また、前記したメンテナンス用通信制御処理装置３１ａへ宅内個別情報（セキュリティ情報等）の設定方法として、メンテナンス用通信制御処理装置３１ａに宅内個別情報をパソコンなどの外部装置から入力するために、ＵＳＢやＲＳ２３２Ｃなどのインタフェース（図示せず）をメンテナンス用通信制御処理装置３１ａに具備し、前記インタフェースに接続された入力装置から入力される宅内個別情報により設定する方法がある。これによって、メンテナンス用通信制御処理装置３１は、宅内個別情報（セキュリティ情報等）を入力するための入力処理部をメンテナンス用通信制御処理装置３１ａに新たに具備しない構成とすることが可能となり、メンテナンス用通信制御処理装置３１ａの構成を軽くすることができる。
【００４８】
また、前記したメンテナンス用通信制御処理装置３１ａへ宅内個別情報（セキュリティ情報等）の設定方法として、メンテナンス用通信制御処理装置３１ａをネットワーク７１に接続し、宅内ネットワーク７１を介してネットワーク７１上の他の家電機器（例えば、家電機器Ｂ７２ｂ、家電機器Ｃ７２ｃ）からコマンドの送受信により宅内個別情報（セキュリティ情報等）を取得する方法がある。これによって、メンテナンス用通信制御処理装置３１ａは、宅内個別情報（セキュリティ情報等）を取得するために表示領域や入力キーなどの入力処理部、またはＵＳＢやＲＳ２３２Cなどのインタフェースなどの新たなハード構成なく取得可能となり、メンテナンス用通信制御処理装置３１の構成をより軽くすることができ、さらにメンテナンス用通信制御処理装置３１ａをより安価な構成とすることにつながる。
【００４９】
以上のような本実施の形態において、メンテナンス装置７３ｃは、メンテナンス処理を実行させるメンテナンス本体装置３２ａに家電機器７２ａとの通信を制御するための処理部を具備しない構成が可能なため、メンテナンス業者はメンテナンス本体装置３２ａの構成を軽くすることができる。メンテナンス本体装置３２ａの構成を軽くすることができる。
【００５０】
（実施の形態３）
また、図３、図４のように、実施の形態２における本発明のメンテナンス装置７３ｃのメンテナンス用通信制御処理装置３１ａに宅内ネットワーク７１に接続するための宅内個別情報（セキュリティ情報等）を設定するための通信制御方式設定処理部１１を具備する構成とし、通信制御方式の設定（S４２）を行う構成とする。
【００５１】
以上のような本実施の形態において、宅内ネットワーク７１に接続するための宅内個別情報（セキュリティ情報等）を用いた通信制御方式の設定（S４２）するメンテナンス用通信制御処理装置３１ａをユーザが管理し、メンテナンス処理を実行するメンテナンス本体装置３２ａをメンテナンス業者などの第３者が管理する構成が可能なため、ユーザは宅内ネットワーク７１に接続するための宅内個別情報（セキュリティ情報等）をメンテナンス業者などの第３者に渡さなくても良い構成となり、安心感の増大になる。
【００５２】
（実施の形態４）
図５は、本実施の形態における第４の発明にかかわるブロック図を示し、図６は、図５における動作の一例を示したシーケンス図を示している。
【００５３】
図５において、メンテナンス用通信制御処理装置３１ｂは、実施の形態２に加え、宅内ネットワークに接続された複数の家電機器のうちメンテナンスを行う家電機器（例えば、家電機器Ａ７２ａ）を特定する情報を設定するための対象機器設定処理部５１と、対象機器設定処理部５１で設定された情報を制御する対象機器情報制御部５２を具備する構成とする。
【００５４】
以上のように構成されたメンテナンス装置において、図６を用いて、その動作を説明する。
【００５５】
図６は、第４の実施の形態におけるシーケンスの一例を示したものである。
【００５６】
メンテナンス用通信制御処理装置３１ｂは、通信制御方式設定処理部１１で宅内個別情報（セキュリティ情報等）による通信方式の設定を行う（S６１）。さらに、メンテナンス用通信制御処理装置３１ｂは、ネットワークに接続された複数の家電機器のうちメンテナンスを行う家電機器（例えば、家電機器Ａ７２ａ）を特定する（S６２）。メンテナンス用通信制御処理装置３１ｂは、宅内個別情報（セキュリティ情報等）による通信方式の設定（S６１）およびメンテナンス対象の家電機器の特定（S６２）後、メンテナンス本体装置３２ｂと通信確立処理を行う（S６３）。
【００５７】
メンテナンス用通信制御処理装置３１ｂとメンテナンス本体装置３２ｂは、通信確立処理により通信可能となる（Ｓ６３）と、メンテナンス情報をメンテナンス用通信制御処理装置３１ｂに送信する（Ｓ６４）。メンテナンス用通信制御処理装置３１ｂは、メンテナンス本体装置３２ｂから受信したメンテナンス情報（S６４）に対象機器設定処理部５１に設定されたメンテナンス対象の家電機器を特定する情報（宛先情報）を対象機器情報制御部５２で付加し（S６５）、宛先情報（S６６）を付与したメンテナンス情報（S６７）を家電機器Ａ７２ａへ送信する。
【００５８】
前記した対象機器情報制御部５２での制御方法として、例えば、ECHONET（登録商標）のようなホームネットワークシステムでは、メンテナンス本体装置３２ｂから受信したメンテナンス内容にECHONET（登録商標）アドレスを付加し、ネットワーク７１上の家電機器Ａ７２ａに対してメンテナンス内容を送信する方法がある。
【００５９】
また、前記した対象機器情報制御部５２での制御方法として、ネットワーク７１上の家電機器Ａ７２ａから宛先情報をメンテナンス用通信制御処理装置３１ｂとしたメンテナンス内容を受信した場合、メンテナンス内容のみをメンテナンス本体装置３２ｂへ送信する方法がある。これによって、メンテナンス本体装置３２ｂは、メンテナンス対象となる家電機器Ａ７２ａを特定する必要がなくなり、メンテナンス用通信制御処理装置３１ｂは、メンテナンス本体装置３２ｂの処理負荷を軽減することが可能となる。
【００６０】
以上のような本実施の形態において、メンテナンス本体装置は、メンテナンス対象の家電機器を特定するための処理をメンテナンス実行の際に行う必要がなくなり、メンテナンス本体装置の構成をさらに軽くすることができる。さらに、メンテナンス用通信制御処理装置は、メンテナンスの際にメンテナンス本体装置の処理負荷を軽減することができ、メンテナンス本体装置のメンテナンス処理の性能向上にも繋がる。
【００６１】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００６２】
以上のように本発明のメンテナンス装置およびそのプログラムにより、メンテナンス業者は、セキュリティ対策されたネットワークに接続された家電機器であってもユーザが日常的に使用するいつもの動作状態でメンテナンス可能となり、さらに、宅内個別情報（セキュリティ情報等）をユーザにより管理することで、宅内ネットワークの情報セキュリティにも繋がる。
【図面の簡単な説明】
【００６３】
【図１】本実施の形態１のメンテナンス装置の構成例を示す図
【図２】本実施の形態１のメンテナンス装置におけるシーケンスの一例を示す図
【図３】本実施の形態２、３のメンテナンス装置の構成例を示す図
【図４】本実施の形態２、３のメンテナンス装置におけるシーケンスの一例を示す図
【図５】本実施の形態４のメンテナンス装置の構成例を示す図
【図６】本実施の形態４のメンテナンス装置におけるシーケンスの一例を示す図
【図７】本実施の形態および従来技術の適用されるメンテナンスシステムの構成を示す図
【図８】従来のメンテナンス装置の一構成例を示す図
【図９】従来のメンテナンス装置におけるシーケンスの一例を示す図
【符号の説明】
【００６４】
１１  通信制御方式設定処理部
３１ａ、３１ｂ  メンテナンス用通信制御処理装置
３２ａ、３２ｂ  メンテナンス本体装置
３３  メンテナンス用通信制御処理装置のメンテナンス本体装置間の通信処理部
３４  メンテナンス本体装置のメンテナンス用通信制御処理装置間の通信処理部
５１  対象機器設定処理部
５２  対象機器情報制御部
７１  対象とする通信ネットワーク
７２ａ、７２ｂ、７２ｃ  家電機器
７３ａ、７３ｂ、７３ｃ、７３ｄ  メンテナンス装置
８１  通信制御処理部
８２ａ、８２ｂ  メンテナンス処理制御部
８３  対象機器特定処理部
【図１】
2006157116.tif 000003
【図２】
2006157116.tif 000004
【図３】
2006157116.tif 000005
【図４】
2006157116.tif 000006
【図５】
2006157116.tif 000007
【図６】
2006157116.tif 000008
【図７】
2006157116.tif 000009
【図８】
2006157116.tif 000010
【図９】
2006157116.tif 000011